(57)【要約】【課題】オプティカルインテグレータの近傍に開口絞りを設けた照明光学系において、開口絞りを原因とする被照射面の照度均一性の低下を防止する。【解決手段】開口絞り１４の開口形状を、オプティカルインテグレータを構成する複数のセル３０のうちの少なくとも一部の数のセル３０のレンズの像主点における光軸垂直面内の断面形状に一致させる。【選択図】            図４
2004354938.tif 000002
【特許請求の範囲】
【請求項１】
光源手段から供給される光束に基づいて複数の光源像からなる多光源を形成するためのオプティカルインテグレータを備え、該オプティカルインテグレータにより形成された前記多光源の光束を集光し、可視光線領域外の波長を遮光する遮光手段を介して被照射面を重畳して照明する照明光学系において、前記オプティカルインテグレータの近傍に、光束を制限する開口絞りが設けられており、
前記開口絞りの開口形状は、前記オプティカルインテグレータを構成するセルのレンズの像主点における光軸垂直面内において、複数のセルで構成される断面形状に一致することを特徴とする照明光学系。
【請求項２】
請求項１に記載の照明光学系において、
前記開口絞りは、開口形状が前記複数のセルのうち開口の大きさに最も近い個数のセルが作る断面形状に一致する形状をとりながら、開口の大きさが可変になることを特徴とする照明光学系。
【請求項３】
光源手段から供給される光束に基づいて複数の光源像からなる多光源を形成するためのオプティカルインテグレータを備え、該オプティカルインテグレータにより形成された前記多光源の光束を集光し、可視光線領域外の波長を遮光する遮光手段を介して被照射面を重畳して照明する照明光学系において、
前記オプティカルインテグレータの近傍に、光束を制限する開口絞りが設けられており、
前記開口絞りの開口形状は、前記オプティカルインテグレータを構成する個々のセルについて、該セルのレンズの像主点における光軸垂直面内の面積のうち前記開口絞りに遮光されず光束が透過する面積の割合を略０．９以上か略０．１以下かのいずれかにする形状になっていることを特徴とする照明光学系。
【請求項４】
請求項３に記載の照明光学系において、
前記開口絞りは、前記オプティカルインテグレータを構成する個々のセルについて、該セルのレンズの像主点における光軸垂直面内の面積のうち前記開口絞りに遮光されず光束が透過する面積の割合を略０．９以上か略０．１以下かのいずれかにする第１の開口形状と、前記オプティカルインテグレータを構成する個々のセルについて、該セルのレンズの像主点における光軸垂直面内の面積のうち前記開口絞りに遮光されず光束が透過する面積の割合を略０．９以上か略０．１以下かのいずれかにする第２の開口形状との間で、開口の大きさが可変になっていることを特徴とする照明光学系。
【請求項５】
光束を供給するための光源手段と、該光源手段からの光束に基づいて複数の光源像からなる多光源を形成するためのオプティカルインテグレータと、該オプティカルインテグレータにより形成された前記多光源の光束を集光して被照射面を重畳して照明する照明光学系と、可視光線領域外の波長を遮光する遮光手段とを備えた可視光線を表示に用いる光学装置を備え、
前記オプティカルインテグレータの近傍に、光束を制限する開口絞りが設けられており、
前記開口絞りの開口形状は、前記オプティカルインテグレータを構成するセルのレンズの像主点における光軸垂直面内において、複数のセルで構成される断面形状に一致することを特徴とする表示装置。
【請求項６】
光束を供給するための光源手段と、該光源手段からの光束に基づいて複数の光源像からなる多光源を形成するためのオプティカルインテグレータと、該オプティカルインテグレータにより形成された前記多光源の光束を集光して被照射面を重畳して照明する照明光学系と、可視光線領域外の波長を遮光する遮光手段とを備えた可視光線を表示に用いる光学装置を備え、
前記オプティカルインテグレータの近傍に、光束を制限する開口絞りが設けられており、
前記開口絞りの開口形状は、前記オプティカルインテグレータを構成する個々のセルについて、該セルのレンズの像主点における光軸垂直面内の面積のうち前記開口絞りに遮光されず光束が透過する面積の割合を略０．９以上か略０．１以下かのいずれかにする形状になっていることを特徴とする表示装置。
【発明の詳細な説明】
【０００１】
【発明の属する技術分野】
本発明はプロジェクターなどの画像表示装置に用いられる照明光学系に関する。
【０００２】
【従来の技術】
液晶プロジェクタなどの画像表示装置において、レンズアレイなどのオプティカルインテグレータの近傍の２次光源面に開口絞りを設置し、像共役面である被照射面にいたる光束を制限することがよく行われている。この開口絞りの開口の大きさを可変にすることで、画像の明るさと鮮明度とコントラストの調整が可能になり、画質の高い画像が得られている。
【０００３】
従来、この開口絞りの開口形状は、オプティカルインテグレータを構成するセルの形状に関わらず、円形状であることが多かった。
【０００４】
また従来、この開口絞りの開口形状を、液晶パネルの被照射面と略相似形の形状にすることも提案されていた（例えば、特許文献１参照）。
【０００５】
【特許文献１】
特開平９−３１１２９２号公報（段落番号００２８、図１）
【０００６】
【発明が解決しようとする課題】
しかし、こうした開口形状を有する従来の開口絞りは、レンズアレイを構成する多数のセルのうち、オプティカルインテグレータの周辺付近のセル等を部分的に遮光してしまう。
【０００７】
レンズアレイは、個々のセルが同じ被照射面を重畳して照明することによって被照射面における照度の均一性を高める役割を持っている。しかし、開口絞りで遮光される部分の面積と遮光されない部分の面積とが比較的近い（例えばセル全体の面積のうちの半分程度の部分が開口絞りで遮光されるような）セルが被照射面の同じ領域を重畳して照明しなくなるので、被照射面における照度の均一性が低下し、画像のコントラストが崩れ画質が低下してしまう。
【０００８】
本発明は、上述の点に鑑み、オプティカルインテグレータの近傍に開口絞りを設けた照明光学系や、そうした照明光学系を有する液晶プロジェクタ等の表示装置において、この開口絞りを原因とする被照射面の照度均一性の低下を防止することを課題としてなされたものである。
【０００９】
【課題を解決するための手段】
この課題を解決するために、本出願人は、光源手段から供給される光束に基づいて複数の光源像からなる多光源を形成するためのオプティカルインテグレータを備え、このオプティカルインテグレータにより形成された多光源の光束を集光し、可視光線領域外の波長を遮光する遮光手段を介して被照射面を重畳して照明する照明光学系において、オプティカルインテグレータの近傍に、光束を制限する開口絞りが設けられており、この開口絞りの開口形状は、オプティカルインテグレータを構成するセルのレンズの像主点における光軸垂直面内において、複数のセルで構成される断面形状に一致する照明光学系を提案する。
【００１０】
この照明光学系では、オプティカルインテグレータの近傍に設けられた開口絞りの開口形状が、オプティカルインテグレータを構成するセルのレンズの像主点における光軸垂直面内において、複数のセルで構成される断面形状に一致している。
【００１１】
したがって、断面形状がこの開口絞りの開口形状に一致している範囲のセルはこの開口絞りに全く遮光されず、他方、そのセル以外にもオプティカルインテグレータを構成するセルが存在する場合には、そのセルはこの開口絞りに全部遮光される。
【００１２】
このように、開口絞りの開口形状をセルの形状に適合させ、セルを全く遮光しないか、逆に遮光するのならば１つのセル全部を遮光するようにしたので、セルが部分的に遮光されることがなくなる。これにより、個々のセルから射出された光束が被照射面の同じ領域を重畳して照明するようになるので、被照射面における照度の均一性の低下が防止される。
【００１３】
なお、この照明光学系において、一例として、この開口絞りは開口の大きさが可変であり、その大きさが変化した場合に、レンズアレイを構成する複数のセルのレンズの像主点における光軸垂直面内において、絞りの大きさに最も近い個数のセルが作る断面形状に開口形状を一致させることが好適である。
【００１４】
それにより、例えばこの照明光学系を設けた表示装置において、この開口絞りの開口の大きさを変化させて画像の明るさと鮮明度とコントラストの調整を行う場合にも、被照射面における照度の均一性の低下を防止することができるようになる。
【００１５】
また、オプティカルインテグレータ全体の形状や大きさが異なる（セルの形状や大きさは共通しているがセルの個数が異なる）複数の照明光学系でこの開口絞りを共用して、それぞれ被照射面における照度の均一性の低下を防止することができるようになる。
【００１６】
次に、本出願人は、光源手段から供給される光束に基づいて複数の光源像からなる多光源を形成するためのオプティカルインテグレータを備え、このオプティカルインテグレータにより形成された多光源の光束を集光し、可視光線領域外の波長を遮光する遮光手段を介して被照射面を重畳して照明する照明光学系において、オプティカルインテグレータの近傍に、光束を制限する開口絞りが設けられており、この開口絞りの開口形状は、オプティカルインテグレータを構成する個々のセルについて、セルのレンズの像主点における光軸垂直面内の面積のうちこの開口絞りに遮光されず光束が透過する面積の割合を略０．９以上か略０．１以下かのいずれかにする形状になっている照明光学系を提案する。
【００１７】
この照明光学系では、オプティカルインテグレータの近傍に設けられた開口絞りの開口形状が、オプティカルインテグレータを構成する個々のセルについて、セルのレンズの像主点における光軸垂直面内の面積のうちこの開口絞りに遮光されず光束が透過する面積の割合を略０．９以上か略０．１以下かのいずれかにする形状になっている。
【００１８】
したがって、個々のセルは、この開口絞りにほとんど（９割以上）遮光されないか、この開口絞りにほぼ全部（９割以上）遮光されるかのいずれかになる。
【００１９】
このように、開口絞りの開口形状をセルの面積に適合させ、セルをほとんど遮光しないか、逆に遮光するのならば１つのセルのほぼ全部を遮光するようにしたので、１つのセルのうち開口絞りで遮光される部分の面積と遮光されない部分の面積とが比較的近くなる（遮光される面積の割合が１割以上９割未満になる）ことがなくなる。これにより、個々のセルから射出された光束が被照射面のほぼ同じ領域を重畳して照明するようになるので、被照射面における照度の均一性の低下が防止される。
【００２０】
なお、この照明光学系において、一例として、開口絞りは、オプティカルインテグレータを構成する個々のセルについて、セルのレンズの像主点における光軸垂直面内の面積のうち前記開口絞りに遮光されず光束が透過する面積の割合を略０．９以上か略０．１以下かのいずれかにする第１の開口形状と、オプティカルインテグレータを構成する個々のセルについて、セルのレンズの像主点における光軸垂直面内の面積のうち前記開口絞りに遮光されず光束が透過する面積の割合を略０．９以上か略０．１以下かのいずれかにする第２の開口形状との間で、開口の大きさが可変になっていることが好適である。
【００２１】
それにより、例えばこの照明光学系を設けた表示装置において、この開口絞りの開口の大きさを変化させて画像の明るさと鮮明度とコントラストの調整を行う場合にも、被照射面における照度の均一性の低下を防止することができるようになる。
【００２２】
また、オプティカルインテグレータ全体の形状や大きさが異なる（セルの形状や大きさは共通しているがセルの個数が異なる）複数の照明光学系でこの開口絞りを共用して、それぞれ被照射面における照度の均一性の低下を防止することができるようになる。
【００２３】
次に、本出願人は、光束を供給するための光源手段と、この光源手段からの光束に基づいて複数の光源像からなる多光源を形成するためのオプティカルインテグレータと、このオプティカルインテグレータにより形成された多光源の光束を集光して被照射面を重畳して照明する照明光学系と、可視光線領域外の波長を遮光する遮光手段とを備えた可視光線を表示に用いる光学装置を備え、オプティカルインテグレータの近傍に、光束を制限する開口絞りが設けられており、この開口絞りの開口形状は、オプティカルインテグレータを構成するセルのレンズの像主点における光軸垂直面内において、複数のセルで構成される断面形状に一致する表示装置を提案する。
【００２４】
また、光束を供給するための光源手段と、この光源手段からの光束に基づいて複数の光源像からなる多光源を形成するためのオプティカルインテグレータと、このオプティカルインテグレータにより形成された多光源の光束を集光して被照射面を重畳して照明する照明光学系と、可視光線領域外の波長を遮光する遮光手段とを備えた可視光線を表示に用いる光学装置を備え、オプティカルインテグレータの近傍に、光束を制限する開口絞りが設けられており、この開口絞りの開口形状は、オプティカルインテグレータを構成する個々のセルについて、セルのレンズの像主点における光軸垂直面内の面積のうちこの開口絞りに遮光されず光束が透過する面積の割合を略０．９以上か略０．１以下かのいずれかにする形状になっている表示装置を提案する。
【００２５】
これらの表示装置は、前述の本発明に係る照明光学系を有するものであり、被照射面における照度の均一性の低下を防止して、画質を向上させることができる。
【００２６】
【発明の実施の形態】
以下、本発明を、液晶プロジェクタに適用した例について、図面を用いて具体的に説明する。図１は、本発明を適用した液晶プロジェクタの照明光学系を示す。光源１０からの射出光が、可視光線外遮光手段２７（例えばＵＶ−ＩＲカットフィルター）により紫外域および赤外域の光線を遮光し、光学系１１で平行光束化された後、オプティカルインテグレータを構成する第１レンズアレイ１２及び第２レンズアレイ１３のうちの第１レンズアレイ１２に入射して複数のレンズセルで分割される。そして、第１レンズアレイ１２の各レンズセルの射出光が、第２レンズアレイ１３の対応するレンズセルに入射することにより、第２レンズアレイ１３の近傍に複数の２次光源像が形成される。
【００２７】
この２次光源面には、開口絞り１４が設置されている。第２レンズアレイ１３の各レンズセルから射出された光束のうち、この開口絞り１４を透過した光束は、光学系１５で重畳され、不図示の色分離光学系で分離されて液晶パネルに照射される。
【００２８】
図２は、第１レンズアレイ１２，第２レンズアレイ１３の、レンズセルの像主点における光軸垂直面内の断面形状を示す。第１レンズアレイ１２，第２レンズアレイ１３は、それぞれ横（図のｘ方向）５×縦（図のｙ方向）５の合計２５個の矩形状のレンズセル３０で構成されている。第１レンズアレイ１２，第２レンズアレイ１３のうちレンズセル３０が配列されている範囲のサイズは、それぞれ横の長さがｘ＿ａ、縦の長さがｙ＿ａになっている。
【００２９】
図３は、開口絞り１４の光軸垂直面内の断面形状を示す。開口絞り１４は、図の斜線部分が光束を遮断し、この斜線部分で囲まれた矩形状の開口部を光束が透過するようになっている。
【００３０】
開口絞り１４は、開口部の横の長さｘ＿ｓ，縦の長さｙ＿ｓを、それぞれ第１レンズアレイ１２や第２レンズアレイ１３の横の長さｘ＿ａ，縦の長さがｙ＿ａと一致させて製造されている。
【００３１】
図４は、この開口絞り１４による遮光の様子を示す。開口絞り１４の開口部の横の長さｘ＿ｓ，縦の長さｙ＿ｓがそれぞれ第２レンズアレイ１３のレンズセル配列範囲の横の長さｘ＿ａ，縦の長さｙ＿ａと一致していることから、開口絞り１４の開口形状は、第２レンズアレイ１３の２５個全てのレンズセル３０のレンズの像主点における光軸垂直面内の断面形状に一致している。
【００３２】
したがって、第２レンズアレイ１３の２５個全てのレンズセル３０は開口絞り１４に全く遮光されず、第２レンズアレイ１３の周辺部分（レンズセル３０が配列されていない部分）のみが開口絞り１４に遮光される。
【００３３】
このように、開口絞り１４の開口形状をレンズセル３０の形状に適合させ、レンズセル３０を全く遮光しないので、レンズセル３０が部分的に遮光されることがない。これにより、個々のレンズセル３０から射出された光束が被照射面の同じ領域を重畳して照明するので、被照射面における照度の均一性の低下が防止されて、画質が向上する。
【００３４】
なお、開口絞り１４の開口部の横の長さｘ＿ｓ，縦の長さｙ＿ｓをそれぞれ第２レンズアレイ１３のレンズセル配列範囲の横の長さｘ＿ａ，縦の長さｙ＿ａと完全に一致させて製造する場合にも、製造時の誤差や、開口絞り１４の配置時の誤差により、第２レンズアレイ１３の周辺付近のレンズセル３０が開口絞り１４に部分的に遮光されることがある。
【００３５】
例えば、第２レンズアレイ１３の個々のレンズセル３０のレンズの像主点における光軸垂直面内の横の長さｘ＿ｃ，縦の長さｙ＿ｃがそれぞれ１２．０ｍｍ，１０．０ｍｍであり、したがって第２レンズアレイ１３のレンズセル配列範囲の横の長さｘ＿ａ，縦の長さｙ＿ａがそれぞれ６０．０ｍｍ，５０．０ｍｍである場合に、開口絞り１４が、開口部の横の長さｘ＿ｓ，縦の長さｙ＿ｓをそれぞれ５９．０ｍｍ，４９．０ｍｍにして製造されたとする。
【００３６】
このとき、第２レンズアレイ１３の中央の９個のレンズセル３０以外のレンズセル３０には、開口絞り１４に遮光されない部分（透過領域と呼ぶ）と、開口絞り１４に遮光される部分（遮光領域と呼ぶ）とが混在するようになる。このうち、遮光領域の面積が最も大きいのは、第２レンズアレイ１３の４隅のレンズセル３０であり、図５は、これらのレンズセル３０の透過領域３０ｉ（白地の領域）と遮光領域３０ｓ（斜線の領域）とを示す。
【００３７】
ただし、レンズセル３０の面積が１２．０×１０．０＝１２０．０ｍｍ２であるのに対し、透過領域３０ｉの面積は１１．５×９．５＝１０９．２５ｍｍ２になる（遮光領域３０ｓの面積は１０．７５ｍｍ２になる）ので、レンズセル３０の面積のうちの透過領域３０ｉの面積の割合は１０９．２５／１２０．０＝０．９１になる。したがって、この４隅のレンズセル３０も、開口絞り１４にほとんど（９１％以上）遮光されない。
【００３８】
したがって、この場合にも、１つのレンズセル３０のうち開口絞り１４で遮光される部分の面積と遮光されない部分の面積とが比較的近くなることはない。これにより、個々のセルから射出された光束が被照射面のほぼ同じ領域を重畳して照明するようになるので、被照射面における照度の均一性の低下が防止される。
【００３９】
一般的には、開口絞り１４の開口形状を、第２レンズアレイ１３の個々のレンズセル３０について、レンズセル３０のレンズの像主点における光軸垂直面内の面積のうち開口絞り１４に遮光されず光束が透過する面積の割合を略０．９以上か略０．１以下かのいずれかにする形状にすれば、個々のレンズセル３０は、開口絞り１４にほとんど（９割以上）遮光されないか、開口絞り１４にほぼ全部（９割以上）遮光されるかのいずれかになる。
【００４０】
このように、開口絞り１４の開口形状をレンズセル３０の面積に適合させ、レンズセル３０をほとんど遮光しないか、逆に遮光するのならば１つのレンズセル３０のほぼ全部を遮光するようにすれば、１つのレンズセル３０のうち開口絞り１４で遮光される部分の面積と遮光されない部分の面積とが比較的近くなる（遮光される面積の割合が１割以上９割未満になる）ことがなくなる。
【００４１】
したがって、個々のレンズセル３０から射出された光束が被照射面のほぼ同じ領域を重畳して照明するようになるので、やはり被照射面における照度の均一性の低下が防止される。本発明は、開口絞り１４をこのような開口形状にする場合をも包含するものである。
【００４２】
次に、図６は、図１の照明光学系に設置する開口絞りの別の構成例を示す。この開口絞り３１は、Ｌ字形状の２つの板を組み合わせて構成されている。
【００４３】
開口絞り３１は、これらの板を図示しない駆動機構（モーター等）で変位させることにより、図７Ａに示すような、第２レンズアレイ１３の２５個全てのレンズセル３０のレンズの像主点における光軸垂直面内の断面形状に開口形状を一致させた状態と、図７Ｂに示すような、第２レンズアレイ１３の２５個のレンズセル３０のうちの中央の９個のレンズセル３０のレンズの像主点における光軸垂直面内の断面形状に開口形状を一致させた状態との間で、開口の大きさが可変になっている。
【００４４】
この開口絞り３１を図７Ａの状態にした場合には、図１の例の開口絞り１４を設置した場合と同じく、第２レンズアレイ１３の２５個全てのレンズセル３０は開口絞り１４に全く遮光されない。これにより、レンズセル３０が部分的に遮光されることがなく、個々のレンズセル３０から射出された光束が被照射面の同じ領域を重畳して照明するので、被照射面における照度の均一性の低下が防止される。
【００４５】
他方、この開口絞り３１を図７Ｂの状態にした場合には、第２レンズアレイ１３の２５個のレンズセル３０のうち、中央の９個のレンズセル３０は開口絞り１４に全く遮光されず、それ以外の１６個のレンズセル３０は開口絞り１４に全部遮光される。
【００４６】
このように、レンズセル３０を全く遮光しないか、逆に遮光するのならば１つのレンズセル３０全部を遮光するので、この場合にも、レンズセル３０が部分的に遮光されることがない。これにより、やはり、個々のレンズセル３０から射出された光束が被照射面の同じ領域を重畳して照明するので、被照射面における照度の均一性の低下が防止される。
【００４７】
したがって、この開口絞り３１を配置することにより、開口絞り３１の開口の大きさを変化させて画像の明るさと鮮明度とコントラストの調整を行う場合にも、被照射面における照度の均一性の低下を防止することができる。
【００４８】
また、図１の照明光学系と、図１の照明光学系とはオプティカルインテグレータ全体の形状や大きさが異なる（セルの形状や大きさは共通しているがセルの個数が異なる）別の照明光学系とでこの開口絞りを共用して、それぞれ被照射面における照度の均一性の低下を防止することができる。
【００４９】
次に、第２レンズアレイのレンズセルが矩形以外の形状をしている場合の開口絞りの構成例について説明する。図８は、六角形のレンズセル３３で構成された第２レンズアレイ３２の、レンズセル３３の像主点における光軸垂直面内の断面形状を示す。
【００５０】
図９は、この第２レンズアレイ３２を設けた照明光学系の２次光源面に設置する開口絞り３４の光軸垂直面内の断面形状を示す。開口絞り３４は、図の斜線部分が光束を遮断し、この斜線部分で囲まれた開口部を光束が透過するようになっている。
【００５１】
この開口部は、第２レンズアレイ３２のうちレンズセル３３を配列した範囲の面積よりも幾分狭い面積の楕円形状をしている。ただし、楕円形状のままでは第２レンズアレイ３２のレンズセル３３のレンズの像主点における光軸垂直面内の面積のうち遮光される面積の割合が１割以上９割未満になる箇所（上下各１箇所及び左右各２箇所）は、それぞれそのレンズセル３３を全て遮光することができるように、レンズセル３３と同じ大きさの六角形が遮光部分としてせり出した形状をしている。
【００５２】
図１０は、第２レンズアレイ３２のレンズセル３３がこの開口絞り３４によって遮光される様子を示す。代表的にレンズセル３３（１）として示すように、開口部が楕円形状のままでは遮光される面積の割合が１割以上９割未満になるレンズセル３３は、開口部に六角形の遮光部分がせり出していることにより、全て遮光される。
【００５３】
また、代表的にレンズセル３３（２）として示すように、第２レンズアレイ３２の周辺付近のいくつかのレンズセル３３では、図１１にも示すように、開口絞り３４に遮光されない透過領域３３（２）ｉと、開口絞り３４に遮光される遮光領域３３（２）ｓとが混在するが、これらのレンズセル３３の面積のうちの遮光領域の面積の割合はいずれも９割以上か１割以下かのいずれかになっている。
【００５４】
このように、開口絞り３４の開口形状をレンズセル３３の面積に適合させ、レンズセル３３をほとんど遮光しないか、逆に遮光するのならば１つのレンズセル３３のほぼ全部を遮光するようにしているので、１つのレンズセル３３のうち開口絞り３４で遮光される部分の面積と遮光されない部分の面積とが比較的近くなる（遮光される面積の割合が１割以上９割未満になる）ことがない。
【００５５】
したがって、個々のレンズセル３３から射出された光束が被照射面のほぼ同じ領域を重畳して照明するので、被照射面における照度の均一性の低下が防止される。
【００５６】
【発明の効果】
以上のように、本発明に係る照明光学系によれば、オプティカルインテグレータの近傍に開口絞りを設けた照明光学系において、この開口絞りを原因とする被照射面の照度均一性の低下を防止できるという効果が得られる。
【００５７】
また、この照明光学系を設けた表示装置において、開口絞りの開口の大きさを変化させて画像の明るさと鮮明度とコントラストの調整を行う場合にも、被照射面における照度の均一性の低下を防止できるという効果も得られる。
【００５８】
オプティカルインテグレータ全体の形状や大きさが異なる（セルの形状や大きさは共通しているがセルの個数が異なる）複数の照明光学系でこの開口絞りを共用して、それぞれ被照射面における照度の均一性の低下を防止できるという効果も得られる。
【００５９】
また、本発明に係る表示装置によれば、オプティカルインテグレータの近傍に設けた開口絞りを原因とする被照射面の照度均一性の低下を防止して、画質を向上させることができるという効果が得られる。
【図面の簡単な説明】
【図１】本発明を適用した液晶プロジェクタの照明光学系を示す図である。
【図２】図１の第１レンズアレイ，第２レンズアレイを示す図である。
【図３】図１の開口絞りを示す図である。
【図４】図１の開口絞りによる遮光の様子を示す図である。
【図５】図１の第２レンズアレイのレンズセルの遮光領域を示す図である。
【図６】図１の照明光学系に設置する開口絞りの別の例を示す図である。
【図７】図６の開口絞りによる遮光の様子を示す図である。
【図８】第２レンズアレイのレンズセルの形状の別の例を示す図である。
【図９】開口絞りの別の例を示す図である。
【図１０】図９の開口絞りによる遮光の様子を示す図である。
【図１１】図９の開口絞りによる図１の第２レンズアレイのレンズセルの遮光領域を示す図である。
【符号の説明】
１０  光源、  １１  光学系、  １２  第１レンズアレイ、  １３，３２  第２レンズアレイ  １４，３１，３４  開口絞り、  １５  光学系、  ２７  可視光線外遮光手段、  ３０，３３  レンズセル
【図１】
2004354938.tif 000003
【図２】
2004354938.tif 000004
【図３】
2004354938.tif 000005
【図４】
2004354938.tif 000006
【図５】
2004354938.tif 000007
【図６】
2004354938.tif 000008
【図７】
2004354938.tif 000009
【図８】
2004354938.tif 000010
【図９】
2004354938.tif 000011
【図１０】
2004354938.tif 000012
【図１１】
2004354938.tif 000013